(57)【要約】【課題】傷口をしっかりと結紮でき、操作性に優れた医療用把持具を提供する。【解決手段】この医療用把持具は、固定クリップ４１と、固定クリップ４１の両側面に基端部が固定されて、固定クリップ４１の先端方向に向けて固定クリップ４１に対して開く方向に延出され、先端に把持爪４２３，４３３を有する一対の可動クリップ４２，４３と、固定クリップ４１の基端側から先端側に向けて、一対の可動クリップ４２，４３の外側を押さえるように摺動可能に装着されたリング部材４４とを備え、リング部材４４を固定クリップ４１の先端側に摺動させた際、一対の可動クリップ４２，４３が、タイミングをずらしてそれぞれ固定クリップ側に閉じるように構成されており、固定クリップ４１はステンレス鋼で形成され、可動クリップ４２，４３はＮｉ−Ｔｉ系合金で形成されている。【選択図】図２
2013244054.tif 000002
【特許請求の範囲】
【請求項１】
細長い板状をなす固定クリップと、
前記固定クリップに基端部が固定されて、該固定クリップの先端方向に向けて該固定クリップに対して開く方向に延出され、先端に該固定クリップに向けて突出する把持爪を有する一対の可動クリップと、
前記固定クリップの基端側から先端側に向けて、前記一対の可動クリップの外側を押さえるように摺動可能に装着されたリング部材とを備え、
前記リング部材を前記固定クリップの先端側に摺動させた際、前記一対の可動クリップが、両側からタイミングをずらしてそれぞれ固定クリップ側に閉じるように構成されており、
前記固定クリップはステンレス鋼で形成され、前記可動クリップはＮｉ−Ｔｉ系合金で形成されていることを特徴とする医療用把持具。
【請求項２】
前記固定クリップの先端部には、該固定クリップの板厚よりも幅広となるように、前記可動クリップに向かって軸方向に直交する方向に延出する板状部が設けられている請求項１記載の医療用把持具。
【請求項３】
前記固定クリップの板状部には、前記可動クリップに向けて突出する把持部が形成されている請求項２記載の医療用把持具。
【請求項４】
前記リング部材により各可動クリップが閉じたとき、各可動クリップの把持爪と、前記固定クリップの把持部とが、軸方向にずれた位置となるように構成されている請求項２又は３に記載の医療用把持具。
【請求項５】
前記一対の可動クリップは、３７℃で超弾性を発揮するように構成されている請求項１〜４のいずれか１つに記載の医療用把持具。
【発明の詳細な説明】
【技術分野】
【０００１】
本発明は、シース等のチューブに収容し、該チューブの手元側から遠隔操作により傷口を結紮する医療用把持具に関する。
【背景技術】
【０００２】
胃や腸等の体内において、比較的小さな癌やポリープは、内視鏡手術により切除することがある。その際に生じた傷口は、医療用把持具を遠隔操作で開閉させて傷口周縁の切片を把持し、傷口の縫縮や止血等を行っている。
【０００３】
この種の医療用把持具として、特許文献１には、固定クリップと、この固定クリップに相対向して設けられ、下端が前記固定クリップに固定され、他端が開放状態にある弾力性材料で構成された一対の可動クリップと、一方の可動クリップと前記固定クリップとの間で被把持物を把持するタイミングと他方の可動クリップと前記固定クリップとの間に被把持物を把持するタイミングをずらすことができる制御機構とを備えた医療用把持具が開示されている。
【０００４】
この医療用把持具は、固定クリップに対して一対の可動クリップを、タイミングをずらせて当接させることができるので、体内組織の大きな裂け目等を閉じることができるとされている。
【先行技術文献】
【特許文献】
【０００５】
【特許文献１】特開２０１０−１２５２００号公報
【発明の概要】
【発明が解決しようとする課題】
【０００６】
しかしながら、特許文献１の医療用把持具の可動クリップは、段落番号００２５に記載されるように、チタンやステンレスなど構成されているので、医療用把持具をチューブ内に長時間収容していると、可動クリップが塑性変形してしまい、チューブから医療用把持具を挿出しても、可動クリップが十分に拡張しないことがあった。このため、可動クリップと固定クリップとで傷口の切片を保持する際における操作性や、把持力が低下する傾向にあり、傷口をしっかりと結紮できないことがあった。特に、傷口が大口径になるほど、操作性や把持力が低下する傾向にあった。
【０００７】
よって、本発明の目的は、傷口をしっかりと結紮でき、操作性に優れた医療用把持具を提供することにある。
【課題を解決するための手段】
【０００８】
上記目的を達成するため、本発明の医療用把持具は、細長い板状をなす固定クリップと、前記固定クリップに基端部が固定されて、該固定クリップの先端方向に向けて該固定クリップに対して開く方向に延出され、先端に該固定クリップに向けて突出する把持爪を有する一対の可動クリップと、前記固定クリップの基端側から先端側に向けて、前記一対の可動クリップの外側を押さえるように摺動可能に装着されたリング部材とを備え、前記リング部材を前記固定クリップの先端側に摺動させた際、前記一対の可動クリップが、両側からタイミングをずらしてそれぞれ固定クリップ側に閉じるように構成されており、前記固定クリップはステンレス鋼で形成され、前記可動クリップはＮｉ−Ｔｉ系合金で形成されていることを特徴とする。
【０００９】
本発明の医療用把持具を使用する際には、シース等のチューブ内に収容し、該チューブを介して、胃や腸等において癌やポリープ等を除去した際に生じた傷口まで搬送する。次に、チューブから医療用把持具を挿出し、傷口の一方の切片に可動クリップの先端部を当接させて、リング部材を固定クリップの先端側に移動させることにより、一方の可動クリップを閉じさせて、該可動クリップと固定クリップとの間で、上記傷口の一方の切片を把持させる。次に、この把持状態を維持しながら医療用把持具を移動させ、他方の可動クリップの先端部を、前記傷口の他方の切片に当接させ、その状態でリング部材を固定クリップの更に先端側に移動させることにより、他方の可動クリップを閉じさせて、該可動クリップと固定クリップとの間で、上記傷口の他方の切片を把持させる。その結果、傷口の一方の切片と他方の切片とが、クリップによって把持されて傷口が結紮され、傷口を縫縮したり止血することができる。
【００１０】
そして、本発明の医療用把持具においては、固定クリップがステンレス鋼で形成されるので、強度があり、固定クリップを傷口に押し当てても、固定クリップが折れ曲がり難く、位置決めをしっかり行うことができる。
また、可動クリップがＮｉ−Ｔｉ系合金で形成されるので、医療用把持具をチューブ内で閉じた状態で長期に亘って収容しても塑性変形し難く、チューブから医療用把持具を挿出した際に可動クリップが固定クリップから大きく拡張し、傷口が大口径であっても傷口をしっかりと結紮できる。また、可動クリップが柔軟で曲がり易く、操作時において体内組織に損傷を与え難くできると共に、傷口周縁に密着させやすい。また、リング部材をスムーズに摺動させやすく、可動クリップの閉じ込みの微調整が可能であり、更には、リング部材を一気に押し込んで可動クリップが一気に閉じてしまうといったトラブルの発生を抑制でき、操作性に優れる。
【００１１】
本発明の医療用把持具において、前記固定クリップの先端部には、該固定クリップの板厚よりも幅広となるように、前記可動クリップに向かって軸方向に直交する方向に延出する板状部が設けられていることが好ましい。この態様によれば、固定クリップの板厚よりも幅広な板状部を押し当てることによって、位置決めが安定する。また、固定クリップと可動クリップとの間で傷口の切片を把持する際、固定クリップの板状部の先端が切片に当接するので、傷口の切片をより確実に把持することができる。
【００１２】
本発明の医療用把持具において、固定クリップの板状部には、前記可動クリップに向けて突出する把持部が形成されていることが好ましい。この態様によれば、固定クリップに設けた把持部が傷口の切片に食い込んでしっかりと把持することができる。
【００１３】
本発明の医療用把持具において、リング部材により各可動クリップが閉じたとき、各可動クリップの把持爪と、固定クリップの把持部とが、軸方向にずれた位置となるように構成されていることが好ましい。この態様によれば、傷口の切片が、軸方向にずれた固定クリップと可動クリップの間に挟み込まれるので、両クリップ間に挟まれる該切片の量が増え、その把持力を高めることができる。
【００１４】
本発明の医療用把持具において、前記一対の可動クリップは、３７℃で超弾性を発揮するように構成されていることが好ましい。この態様によれば、可動クリップが体内で超弾性を発揮するので、チューブから医療用把持具を挿出した際に可動クリップが固定クリップからよりしっかりと拡張して開くと共に、リング部材を摺動させて、可動クリップを固定クリップに対して閉じた際に、傷口の切片をよりしっかりと把持できる。
【発明の効果】
【００１５】
本発明の医療用把持具によれば、固定クリップがステンレス鋼で構成されるので、強度があり、固定クリップを傷口に押し当てても、固定クリップが折れ曲がり難く、位置決めをしっかり行うことができる。
また、可動クリップがＮｉ−Ｔｉ系合金で構成されるので、医療用把持具をチューブ内で閉じた状態で長期に亘って収容しても、可動クリップが塑性変形し難く、チューブから医療用把持具を挿出した際に可動クリップが固定クリップから大きく拡張し、傷口が大口径であっても、傷口をしっかりと結紮できる。また、可動クリップは、柔軟で曲がり易く、操作時において体内組織に損傷を与え難くできると共に、傷口周縁に密着させやすい。更には、可動クリップは柔軟性があるのでリング部材をスムーズにスライドさせやすく、微調整が可能であり、操作性に優れる。
【図面の簡単な説明】
【００１６】
【図１】本発明の医療用把持具の第１実施形態を示しており、同医療用把持具をチューブにセットした状態を示す概略構成図である。
【図２】同医療用把持具をチューブ内に収容した状態での断面図である。
【図３】同医療用把持具の使用状態を示す説明図である。
【図４】同医療用把持具の使用状態を示す説明図である。
【図５】同医療用把持具の使用状態を示す説明図である。
【図６】同医療用把持具の使用状態を示す説明図である。
【図７】同医療用把持具の使用状態を示す説明図である。
【図８】同医療用把持具の使用状態を示す説明図である。
【図９】同医療用把持具の固定クリップの板状部の他形状を示す概略図である。
【図１０】本発明の医療用把持具の第２の実施形態を示す説明図であって、傷口を結紮した状態図である。
【図１１】本発明の医療用把持具の第３の実施形態を示す説明図であって、傷口を結紮した状態図である。
【図１２】本発明の医療用把持具の第４の実施形態を示す説明図であって、傷口を結紮した状態図である。
【図１３】本発明の医療用把持具の第５の実施形態を示す説明図であって、（ａ）は斜視図であり、（ｂ）は断面図である。
【発明を実施するための形態】
【００１７】
以下、図１，２を参照して、本発明に係る医療用把持具の第１の実施形態について説明する。
【００１８】
図１，２における図番１０は、外筒チューブであって、柔軟性を有する樹脂材料などで形成されている。
【００１９】
外筒チューブ１０の樹脂材料としては、特に限定は無く、ポリエチレン、ポリプロピレン、ポリエステル、ポリエチレンテレフタート、ポリブチレンテレフタート、ポリブダジエン、ポリスチレン、ポリメチルメタクリート、ポリカーボネート、ポリアミド、ポリアセタール、ポリフェニレンサルフィド、ポリエーテルエーテルケトン、ポリウレタン、ポリエーテルブロックアミド、ポリ塩化ビニル、酢酸ビニル等の熱可塑性樹脂が挙げられる。
【００２０】
外筒チューブ１０の両端は開口しており、手元側の開口部の周縁には、硬い樹脂材料などで形成された継手１１が固着されている。継手１１は筒状をなし、基端部がフランジ状に拡径されている。継手１１の樹脂材料としては、特に限定は無く、ポリアセタール、アクリロニトリル−ブタジエン−スチレン共重合体、ポリエチレン、ポリプロピレン、ポリカーボネート等が挙げられる。
【００２１】
外筒チューブ１０内には、柔軟性を有する樹脂材料で形成された内筒チューブ２０が、外筒チューブ１０内を挿通可能に配置されている。内筒チューブ２０の樹脂材料としては、特に限定は無く、外筒チューブ１０と同様のものが挙げられる。
【００２２】
内筒チューブ２０の両端は開口しており、手元側の開口部の周縁には、硬い樹脂材料などで形成された手元操作子２１が固着されている。手元操作子２１には、後述する操作ワイヤ３０が挿通する貫通穴２２が形成されている。手元操作子２１の樹脂材料としては、特に限定は無く、上述した継手１１と同様のものが挙げられる。また、先端側の開口部には、後述する医療用把持具４０のリング部材４４が、着脱可能に取り付けられている。
【００２３】
内筒チューブ２０内には、操作ワイヤ３０が、内筒チューブ２０を挿通可能に配置されている。操作ワイヤ３０は、柔軟性を有するものであればよく、特に限定は無い。例えば、Ｆｅ、ステンレス鋼、ピアノ線、Ｎｉ−Ｔｉ系合金等が挙げられる。Ｎｉ−Ｔｉ系合金としては、Ｎｉ−Ｔｉ合金、Ｎｉ−Ｔｉ−Ｆｅ合金、Ｎｉ−Ｔｉ−Ｃｕ合金、Ｎｉ−Ｔｉ−Ｖ合金、Ｎｉ−Ｔｉ−Ｃｏ合金等が挙げられる。
【００２４】
操作ワイヤ３０の手元側は、上述した手元操作子２１の貫通穴２２を挿通して手元操作子２１から出ており、その先端には、操作リング３１が取り付けられている。
【００２５】
操作ワイヤ３０の先端側には、連結具３２が取り付けられている。連結具３２の先端側には、スリット３３が設けられており、該スリット３３に後述する医療用把持具４０の固定クリップ４１の球状凸部４１２が挿入され、医療用把持具４０が連結具３２に着脱可能に取り付けられる。連結具３２の材質は特に限定は無く、ステンレス鋼、Ｆｅ、Ｐｔ−Ｉｒ、Ａｕ、Ａｇ、ポリアセタール、アクリロニトリル−ブタジエン−エチレン共重合体、ポリエチレン、ポリプロピレン、ポリカーボネート等が挙げられる。
【００２６】
医療用把持具４０は、固定クリップ４１と、固定クリップ４１の両側面に基端部４２１，４３１が固定された一対の可動クリップ４２，４３と、リング部材４４とで主に構成されている。
【００２７】
固定クリップ４１は、細長い板状をなして伸びる軸部４１１と、軸部４１１の基端側の先端に設けられた球状凸部４１２と、軸部４１１の先端側に設けられた板状部４１３とで構成され、全体がステンレス鋼で形成されている。
【００２８】
固定クリップ４１の軸部４１１は、厚さが０．１〜２．０ｍｍであることが好ましく、０．２〜１．０ｍｍがより好ましい。０．１ｍｍ未満であると、強度的に不足し、固定クリップ４１を傷口に押し当てて位置決めする際に、軸部４１１が折れ曲がる恐れがある。２．０ｍｍを超えると、内視鏡内部での形状追従性に劣って内視鏡先端から出し難くなったり、体内の管状器官への追従性が劣って目的とする器官まで持っていくことが困難となる可能性がある。また、幅寸法は、０．２〜４．０ｍｍであることが好ましく、０．５〜２．０ｍｍがより好ましい。０．２ｍｍ未満であると、強度的に不足する傾向にある。４．０ｍｍを超えると、内視鏡内部での形状追従性に劣って内視鏡先端から出し難くなったり、体内の管状器官への追従性が劣って目的とする器官まで持っていくことが困難となる可能性がある。
【００２９】
固定クリップ４１の板状部４１３は、固定クリップ４１の軸部４１１の板厚よりも幅広であって、可動クリップ４２、４３に向かって軸方向に直交する方向に延出している。また、板状部４１３の可動クリップ４２，４３に向かう両端部には、幅方向両側から突出する把持部４１４，４１４がそれぞれ形成されている（合計で４つ）。把持部４１４，４１４の内側４１５は、板状部４１３の幅方向中央に向かって次第に高さが低くなるＶ字状をなしている。
【００３０】
なお、板状部４１３の形状は、図１に示す形状に限定されない。例えば、図９（ａ）に示される板状部４１３ａのように、幅方向中央部を平坦部４１４ａとし、幅方向両端部に、各可動クリップに向けて突出した把持部４１４ｂ，４１４ｂを設けた形状としてもよい。また、図９（ｂ）に示される板状部４１３ｂのように、板状部４１３ｂの幅方向両端部に、各可動クリップに向けて突出した把持部４１４ｃ，４１４ｃを設け、板状部４１３ｂの幅方向中央部に、前記把持部４１４ｃよりも突出量が小さい把持部４１４ｄを複数（この実施形態では、それぞれの可動クリップ側に４個ずつ）設けた形状としてもよい。更に、図９（ｃ）に示される板状部４１３ｃのように、固定クリップ４１の直交方向両側から、各可動クリップに向けて、山型の把持部４１４ｅ，４１４ｅをそれぞれ突出した形状としてもよい。また、図示しないが、板状部４１３は、把持部を有さない形状であってもよい。
【００３１】
図１及び図２に示すように、各可動クリップ４２，４３は、細長い板材を折り曲げて形成されており、その基端部４２１，４３１が、固定クリップ４１の両側面に、溶接、接着剤などの手段により、固定クリップ４１に対して互いに軸方向にずれた位置で固定されている。この実施形態では、可動クリップ４２の基端部４２１が、可動クリップ４３の基端部４３１よりも、手元寄りで固定クリップ４１に固定されている。
【００３２】
また、各可動クリップ４２，４３は、基端部４２１，４３１側から、固定クリップ４１の先端方向に向けて、固定クリップ４１に対して開く方向に延出した形状をなしている。具体的には各可動クリップ４２，４３は、基端部４２１，４３１から固定クリップ４１に対して所定の開き角度で延出した基部側傾斜部４２２，４３２と、その先端の曲げ部４２２ａ，４３２ａを介して、前記基部側傾斜部４２２，４３２よりも固定クリップ４１に対する開き角度が小さくなるように延出した先端側傾斜部４２４，４３４とを有している。
【００３３】
また、各可動クリップ４２，４３は、その曲げ部４２２ａ，４３２ａが、固定クリップ４１に対し軸方向にずれるように固定されている（図２参照）。更に、各可動クリップ４２，４３の、先端側傾斜部４２４，４３４からは、固定クリップ４１に向けて把持爪４２３，４３３が突出されている。把持爪４２３，４３３は、図２、８に示すように、可動クリップ４２，４３を閉じたときに、固定クリップ４１の板状部４１３の側面に当接するように構成されている。
【００３４】
上記の各可動クリップ４２，４３は、Ｎｉ−Ｔｉ系合金で形成されており、更に、上述した形状を保持するように形状記憶処理が施されている。Ｎｉ−Ｔｉ系合金としては、Ｎｉ−Ｔｉ合金、Ｎｉ−Ｔｉ−Ｆｅ合金、Ｎｉ−Ｔｉ−Ｃｕ合金、Ｎｉ−Ｔｉ−Ｖ合金、Ｎｉ−Ｔｉ−Ｃｏ合金等が挙げられる。可動クリップをＮｉ−Ｔｉ系合金で形成することで、医療用把持具４０を外筒チューブ１０内に長期に亘って収容しても塑性変形し難くなり、外筒チューブ１０から医療用把持具４０を挿出した際に、可動クリップ４２，４３を大きく拡張させることができる。また、可動クリップ４２，４３が柔軟で曲がり易くなり、操作時において体内組織に損傷を与え難くできると共に、医療用把持具４０を傷口周縁に密着させやすい。更には、リング部材４４をスムーズに摺動させやすく、可動クリップ４２，４３の閉じ込みの微調整が可能であり、更には、リング部材４４を一気に押し込んで可動クリップが閉じてしまうといったトラブルの発生を抑制でき、操作性に優れる。
【００３５】
本発明において、可動クリップ４２，４３のＮｉ−Ｔｉ系合金は、３７℃で超弾性を発揮するように構成されていることが好ましい。これによれば、可動クリップ４２，４３が体内で超弾性を発揮するので、外筒チューブ１０から医療用把持具４０を挿出した際に可動クリップ４２，４３が、固定クリップ４１から大きく拡張して開くことができる。また、リング部材４４をスライドさせて可動クリップ４２，４３を閉じた際に、傷口の切片をよりしっかりと把持できる。なお、本発明において、超弾性とは、弾性係数が２０〜３０ＧＰａ、形状回復温度が４０℃以下のことである。
【００３６】
また、本発明において、可動クリップ４２，４３のＮｉ−Ｔｉ系合金は、形状回復温度が２０℃〜４０℃が好ましく、２１〜３０℃がより好ましい。形状回復温度が２０℃未満であると、シース内で可動クリップが自身の拡張力でへたり易くなり、４０℃を超えるとシースから出した際に可動クリップが展開し難くなる。
【００３７】
図１及び図２に示すように、リング部材４４は略筒状をなしており、縮径部４４２と、該縮径部４４２の先端外周から環状に突設した拡径部４４１とを有し、その拡径部４４１側をクリップ先端側に向けて、固定クリップ４１及び可動クリップ４２，４３の外周にリング部材４４が装着されている。リング部材４４の形状は特に限定は無く、楕円形であってもよく、矩形であってもよい。また、リング部材４４は、その縮径部４４２が内筒チューブ２０の先端側の開口に挿入され、環状の拡径部４４１が、内筒チューブ２０の開口周縁部に着脱可能に係合するようになっている。そして、操作ワイヤ３０の位置を固定した状態で、内筒チューブ２０を先端方向に移動させることで、リング部材４４が、固定クリップ４１の基端側から先端側に向けて、可動クリップ４２，４３の外側を押さえるように摺動する。
【００３８】
次に、この医療用把持具の操作について、図３〜８を参照しながら説明する。
【００３９】
まず、手元操作子２１を手に持ち、手元操作子２１を継手１１側に引き寄せ、連結具３２のスリット３３に、医療用把持具４０の固定クリップ４１の球状凸部４１２を挿入して、医療用把持具４０を取り付ける。そして、手元操作子２１を継手１１から離れるように移動させ、図２に示すように、外筒チューブ１０内に、医療用把持具４０を収容する。この状態が使用前の保管状態である。
【００４０】
使用に際しては、医療用把持具４０を外筒チューブ１０内に収容した状態（保管状態）にて、口腔などから内視鏡のルーメン等を介して体内に挿入し、操作リング３１により操作して、図３に示すように、ポリーブや癌を内視鏡手術により切除した際に生じた傷口５０まで移動させる。
【００４１】
次に、手元操作子２１を継手１１側に引き寄せ、外筒チューブ１０の先端から医療用把持具４０を挿出する。可動クリップ４２，４３の先端側は、固定クリップ４１に対して開く方向に延出されているので、図４に示すように、可動クリップ４２，４３が開く。
【００４２】
次に、図５に示すように、固定クリップ４１の先端の板状部４１３を、傷口５１の所定位置に押し当てながら位置決めして、傷口の一方の切片５１の周縁に可動クリップ４２の把持爪４２３を当接させる。そして、その状態で、操作リング３１を固定し、手元操作子２１を継手１１側に押し込む。すると、図６に示すように、医療用把持具４０のリング部材４４が先端側に移動して、リング部材４４の内周が可動クリップ４２の外周に当接し、可動クリップ４２と固定クリップ４１との間隔が狭くなる。更に押し込むと、傷口の切片５１が、可動クリップ４２の把持爪４２３と、固定クリップ４１の板状部４１３とで把持される。
【００４３】
次に、この把持状態を維持しながら医療用把持具４０を移動させ、図７に示すように、可動クリップ４３の把持爪４３３を傷口の他方の切片５２に当接させる。そして、その状態で、操作リング３１を固定し、手元操作子２１を継手１１側に押し込む。すると、医療用把持具４０のリング部材４４が更に先端側に移動して、リング部材４４の内周が可動クリップ４３の外周に当接し、可動クリップ４３と固定クリップ４１との間隔が狭くなって、傷口の他方の切片５２が可動クリップ４３と固定クリップ４１とで把持される。その結果、傷口５０の一方の切片５１と他方の切片５２とが、クリップによって把持されて傷口５０が結紮される。
【００４４】
この状態で、操作リング３１を手元側に引き抜くと、医療用把持具４０が連結具３２から抜け、図８に示すように、傷口５０を結紮した状態で医療用把持具４０のみが体内に留置され、他の部材は体外に引出される。
【００４５】
本発明の医療用把持具は、固定クリップ４１がステンレス鋼で形成されるので、強度があり、固定クリップ４１を傷口５０に押し当てても、固定クリップ４１が折れ曲がり難く、位置決めをしっかり行うことができる。
【００４６】
また、可動クリップ４２，４３がＮｉ−Ｔｉ系合金で形成されるので、図２に示すような保管状態が長くても塑性変形し難く、外筒チューブ１０から医療用把持具４０を挿出した際に、可動クリップ４２，４３が固定クリップ４１から大きく拡張する。このため、傷口５１が大口径であってもしっかりと結紮できる。また、保管状態のまま流通することもでき、使用直前になって、医療用把持具４０を連結具３２に取付けて外筒チューブ１０内に収容するといった手間を省くことができ、取り扱い性に優れる。
【００４７】
また、可動クリップ４２，４３がＮｉ−Ｔｉ系合金で形成されるので、可動クリップ４２，４３が柔軟で曲がり易く、操作時において体内組織に損傷を与え難くできる。また、傷口周縁に可動クリップ４２，４３を密着させて、傷口の切片をしっかりと把持できる。また、リング部材４４をスムーズに摺動させやすく、可動クリップ４２，４３の閉じ込みの微調整が可能であり、更には、リング部材４４を一気に押し込んで可動クリップ４２，４３が一気に閉じてしまうといったトラブルの発生を抑制でき、操作性に優れる。
【００４８】
また、固定クリップ４１の先端の板状部４１３には、可動クリップ４２，４３に向けて突出する把持部４１４が形成されているので、各可動クリップ４２，４３の把持爪４２３，４３３と、固定クリップの把持部４１４とが傷口の切片に食い込んでしっかりと把持される。このため、一方の傷口の切片を把持した状態で、他方の傷口の切片を把持する際に、クリップが傷口の切片から脱落して把持状態が解除されるといったトラブルの発生を低減できる。
【００４９】
次に、本発明の医療用把持具の第２の実施形態について、図１０を用いて説明する。
【００５０】
この実施形態の医療用把持具４０ａは、基本的な構成は、上述した第１の実施形態と同じであるが、可動クリップ４２，４３を閉じたときに、可動クリップ４３の把持爪４３３と、固定クリップ４１の板状部４１３とが、軸方向にずれた位置となるように構成されている点が、上記第１の実施形態と相違する。
【００５１】
すなわち、この医療用把持具４０ａは、可動クリップ４２，４３を閉じたときに、可動クリップ４２の把持爪４２３が、固定クリップ４１の板状部４１３の側面に当接するが、可動クリップ４３の把持爪４３３が、固定クリップ４１の板状部４１３よりも、チューブ先端側に配置されるようになっている。
【００５２】
この実施形態によれば、傷口の切片５２が、軸方向にずれた固定クリップ４１と可動クリップ４３の間に挟み込まれるので、その把持力を高めることができ、傷口をしっかりと結紮できる。
【００５３】
次に、本発明の医療用把持具の第３の実施形態について、図１１を用いて説明する。
【００５４】
この実施形態の医療用把持具４０ａは、基本的な構成は、上述した第１の実施形態と同じであるが、可動クリップ４２，４３を閉じたときに、可動クリップ４２，４３の把持爪４２３，４３３と、固定クリップ４１の板状部４１３とが、それぞれ軸方向にずれた位置となるように構成されている点が、上記第１の実施形態と相違する。
【００５５】
すなわち、この医療用把持具４０ｂは、可動クリップ４２，４３を閉じたときに、各可動クリップ４２の把持爪４２３，４３３が、固定クリップ４１の板状部４１３よりも、チューブ先端側に配置されるようになっている。
【００５６】
この実施形態によれば、傷口の切片５１，５２が、軸方向にずれた固定クリップ４１と可動クリップ４２，４３の間に挟み込まれるので、その把持力を高めることができ、傷口をよりしっかりと結紮できる。
【００５７】
次に、本発明の医療用把持具の第４の実施形態について、図１２を用いて説明する。
【００５８】
この実施形態においても、医療用把持具４０ｃの基本的な構成は、上述した第１の実施形態と同じであるが、可動クリップ４２，４３を閉じたときに、各可動クリップ４２の把持爪４２３，４３３が、固定クリップ４１の板状部４１３よりも、チューブ手元側に配置されるように構成されている点で相違する。
【００５９】
この実施形態によれば、傷口の切片５１，５２が、軸方向にずれた固定クリップ４１と可動クリップ４２，４３の間に挟み込まれるので、その把持力を高めることができ、傷口をよりしっかりと結紮できる。
【００６０】
次に、本発明の医療用把持具の第５の実施形態について、図１３を用いて説明する。
【００６１】
この実施形態の医療用把持具４０ｄは、基本的な構成は上述した第１の実施形態と同様であるが、以下の点で相違する。
【００６２】
すなわち、図１３（ｂ）に示すように、各可動クリップ４２，４３は同一形状で折り曲げ形成されており、その基端部４２１，４３１が、固定クリップ４１に対し、軸方向ほぼ同じ位置に固定されていると共に、折り曲げ部４２２ａ，４３２ａも、固定クリップ４１に対し、軸方向ほぼ同じ位置となるように配置されている。
【００６３】
そして、リング部材４４ａには、拡径部４４１の周方向一部に、可動クリップ４２，４３を受け入れ可能な幅のスリット４４３が形成されている。
【００６４】
この実施形態によれば、リング部材４４ａを固定クリップ４１の基端側から先端側に向けて移動させると、スリット４４３によって、リング部材４４ａの内周と、各可動クリップ４２，４３とが接触するタイミングがずれ、図１３（ｂ）の仮想線に示されるように、可動クリップ４２と固定クリップ４１との間隔のみが、まず狭くなる。そして、リング部材４４ａを更に先端側に移動させると、可動クリップ４３がリング部材４４ａの内周に当接して、可動クリップ４３と固定クリップ４１との間隔も狭くなる。このため、この医療用把持具４０ｄにおいても、上述した第１の実施形態と同様の操作で、傷口を結紮できる。
【００６５】
なお、この実施形態においても、上述した第１の実施形態と同様、各可動クリップの基端部４２１，４３１を、固定クリップに対し、軸方向にずれて固定してもよい。また、各可動クリップ４２，４３の曲げ部４２２ａ，４３２ａを、固定クリップに対し、軸方向にずれて形成してもよい。また、上述した第２〜第４の実施形態のように、リング部材４４により各可動クリップ４２，４３が閉じたとき、各可動クリップ４２，４３の把持爪４２３，４３３と、固定クリップ４１の板状部４１３とが、軸方向にずれた位置となるように構成されていてもよい。
【符号の説明】
【００６６】
１０：外筒チューブ
２０：内筒チューブ
２１：手元操作子
３０：操作ワイヤ
３１：操作リング
３２：連結具
４０，４０ａ，４０ｂ，４０ｃ，４０ｄ：医療用把持具
４１：固定クリップ
４１３，４１３ａ，４１３ｂ，４１３ｃ：板状部
４１４，４１４ｂ，４１４ｃ，４１４ｄ：把持部
４２３，４３３：把持爪
４２，４３：可動クリップ
４４，４４ａ：リング部材
【図１】
2013244054.tif 000003
【図２】
2013244054.tif 000004
【図３】
2013244054.tif 000005
【図４】
2013244054.tif 000006
【図５】
2013244054.tif 000007
【図６】
2013244054.tif 000008
【図７】
2013244054.tif 000009
【図８】
2013244054.tif 000010
【図９】
2013244054.tif 000011
【図１０】
2013244054.tif 000012
【図１１】
2013244054.tif 000013
【図１２】
2013244054.tif 000014
【図１３】
2013244054.tif 000015